(57)【要約】【課題】カメラの画角範囲外に被撮像対象がいる場合にカメラを駆動させて当該被撮像対象を効率よくカメラの画角の範囲内に収める撮像装置を提供する。【解決手段】本発明に係るテレビ１は、カメラ２０と、人感センサ３０と、カメラ２０の撮影可能領域が変わるようにカメラ２０を駆動させる駆動部と、人感センサ３０の検出可能領域内に人が存在すると判定し、かつ当該人がカメラ２０の撮影可能領域内に存在しないと判定したときに、当該人がカメラ２０の撮影可能領域内に存在するように駆動部を駆動させる駆動部制御手段と、を備えている。【選択図】図１
2011259384.tif 000002
【特許請求の範囲】
【請求項１】
撮影部と、
検出可能領域内に人が存在するか否かを検出し、人が存在する場合には当該人の位置を特定する人感センサと、
上記撮影部の撮影可能領域が変わるように上記撮影部を駆動させる駆動部と、
上記人感センサの検出可能領域内に人が存在すると判定し、かつ当該人が上記撮影部の撮影可能領域内に存在しないと判定したときに、当該人が上記撮影部の撮影可能領域内に存在するように上記駆動部を駆動させる駆動部制御手段と、
を備えることを特徴とする撮像装置。
【請求項２】
撮影部と、
検出可能領域内に人が存在するか否かを検出し、人が存在する場合には当該人の位置を特定する人感センサと、
上記撮影部の撮影可能領域が変わるように上記撮影部を駆動させる駆動部と、
上記人感センサによる検出可能領域内に人が存在すると判定し、かつ当該人が上記撮影部の撮影可能領域内に存在しないと判定したときに、当該人が上記撮影部の撮影可能領域内に存在するように上記駆動部を駆動させる駆動部制御手段と、
を備えることを特徴とする表示装置。
【請求項３】
アプリケーションの実行指示を受け付けたときに、アプリケーションを実行するための設定情報に基づいて当該アプリケーションを実行するアプリケーション制御手段と、
上記撮影部が撮像した人の画像から当該人の顔の特徴を示す情報であるユーザ顔情報を抽出する画像処理手段と、
上記撮影部に撮影の指示を送信する撮影制御手段とを備え、
上記駆動部制御手段は、上記アプリケーション制御手段が上記実行指示を受け付けたときに、上記人感センサの検出可能領域内に存在する人が上記撮影部の撮影可能領域内に存在するように上記撮影部を駆動するものであり、
上記撮影制御手段は、予め上記撮影部の撮影可能領域内に存在する人及び上記駆動部を駆動することによって撮影可能領域内に存在することとなった人を撮影するように上記撮影部に撮影させるものであり、
上記アプリケーション制御手段は、ユーザ顔情報と設定情報とを関連付けて記憶する記憶部から、上記画像処理手段が抽出したユーザ顔情報に関連付けられている設定情報を取得してアプリケーションを実行するものであることを特徴とする請求項２に記載の表示装置。
【請求項４】
コンピュータを請求項２又は３に記載の表示装置の各手段として機能させるプログラム。
【請求項５】
請求項４に記載のプログラムを記録したコンピュータ読み取り可能な記録媒体。
【発明の詳細な説明】
【技術分野】
【０００１】
本発明は、カメラ及び人感センサを備えた撮像装置、及び、カメラ及び人感センサを備えた表示装置に関する。
【背景技術】
【０００２】
近年、カメラで撮影したユーザの画像を用いてユーザの利便性を向上させるアプリケーションを実行する装置が広く普及してきている。
【０００３】
例えば、特許文献１には、注目度の評価値から所定コンテンツに対する満足度を算出し、満足度に基づき視聴ユーザの嗜好性を判断する嗜好性情報管理装置が記載されている。
【０００４】
特許文献２には、カメラによって撮像された使用者の顔の時間的変化から瞬きを検出して、これを基に覚醒度を推定し、推定した覚醒度を基に映像信号の変換を行う技術が記載されている。
【先行技術文献】
【特許文献】
【０００５】
【特許文献１】特開２００９−２６７４４５号公報（２００９年１１月１２日公開）
【特許文献２】特開２００７−３６１８号公報（２００７年１月１１日公開）
【発明の概要】
【発明が解決しようとする課題】
【０００６】
ところで、テレビなどに使用されるカメラ（例えば、ＵＳＢカメラ及びＣＣＤカメラ）は、実際に撮影することのできる範囲を角度で示す画角が、９０°に満たないものが一般的である。このような画角の狭いカメラを使用してユーザを撮影する場合、カメラの画角の範囲内に居ないユーザを撮影するためにカメラを動かす必要がある。しかし、カメラをどのように動かせばよいかは、カメラ又は当該カメラを備えるテレビ等の装置自身は認識することができない。
【０００７】
そこで、本発明は、上記の課題を解決するためになされたものであり、カメラ等の撮像部の画角範囲外に被撮像対象がいる場合に撮像部を駆動させて当該被撮像対象を効率よく撮像部の画角の範囲内に収める撮像装置を提供する。
【課題を解決するための手段】
【０００８】
本発明に係る撮像装置は、上記課題を解決するために、撮影部と、検出可能領域内に人が存在するか否かを検出し、人が存在する場合には当該人の位置を特定する人感センサと、上記撮影部の撮影可能領域が変わるように上記撮影部を駆動させる駆動部と、上記人感センサの検出可能領域内に人が存在すると判定し、かつ当該人が上記撮影部の撮影可能領域内に存在しないと判定したときに、当該人が上記撮影部の撮影可能領域内に存在するように上記駆動部を駆動させる駆動部制御手段と、を備えることを特徴としている。
【０００９】
上記の構成によれば、上記撮影部の撮影可能領域を移動させることができる。また、上記撮影部の撮影可能領域に存在しない人が、上記人感センサの検出可能領域に存在する場合に、当該人が上記撮影部の撮影可能領域に存在するように上記駆動部を駆動させることができる。これによって、上記撮影部の撮影可能領域外に人が存在する場合に上記撮影部を駆動させて、当該人を効率よく撮影可能領域内に収めることができる。
【００１０】
本発明に係る表示装置は、上記課題を解決するために、撮影部と、検出可能領域内に人が存在するか否かを検出し、人が存在する場合には当該人の位置を特定する人感センサと、上記撮影部の撮影可能領域が変わるように上記撮影部を駆動させる駆動部と、上記人感センサの検出可能領域内に人が存在すると判定し、かつ当該人が上記撮影部の撮影可能領域内に存在しないと判定したときに、当該人が上記撮影部の撮影可能領域内に存在するように上記駆動部を駆動させる駆動部制御手段と、を備えることを特徴としている。
【００１１】
上記の構成によれば、上記撮影部の撮影可能領域を移動させることができる。また、上記撮影部の撮影可能領域に存在しない人が、上記人感センサの検出可能領域に存在する場合に、当該人が上記撮影部の撮影可能領域に存在するように上記駆動部を駆動させることができる。これによって、上記撮影部の撮影可能領域外に人が存在する場合に上記撮影部を駆動させて、当該人を効率よく撮影可能領域内に収めることができる。
【００１２】
本発明に係る表示装置は、アプリケーションの実行指示を受け付けたときに、アプリケーションを実行するための設定情報に基づいて当該アプリケーションを実行するアプリケーション制御手段と、上記撮影部が撮像した人の画像から人の顔の特徴を示す情報であるユーザ顔情報を抽出する画像処理手段と、上記撮影部に撮影の指示を送信する撮影制御手段とを更に備え、上記駆動部制御手段は、上記アプリケーション制御手段が上記実行指示を受け付けたときに、上記人感センサの検出可能領域内に存在する人が上記撮影部の撮影可能領域内に存在するように上記撮影部を駆動するものであり、上記撮影制御手段は、予め上記撮影部の撮影可能領域内に存在する人及び上記駆動部を駆動することによって撮影可能領域内に存在することとなった人を撮影するように上記撮影部に撮影させるものであり、上記アプリケーション制御手段は、ユーザ顔情報と設定情報とを関連付けて記憶する記憶部から、上記画像処理手段が抽出したユーザ顔情報に関連付けられている設定情報を取得してアプリケーションを実行するものであることが好ましい。
【００１３】
上記の構成によれば、上記アプリケーションの実行指示を受けたときに、上記撮影部の撮影可能領域に人が存在するように上記駆動部を駆動させて人を撮影し、撮影された人のユーザ顔情報と関連付けられた上記設定情報、すなわち、撮影部によって撮影された人がアプリケーションを実行するために予め設定した情報に基づいてアプリケーションを実行することができる。これによって、当該人によって上記アプリケーションの実行指示が行われたとき、当該人が設定した設定情報でアプリケーションを実行することができる。また、上記の構成によれば、複数の人を撮影可能である。これによって、複数のユーザが上記人感センサの検出可能領域に存在する場合であっても、撮影された複数のユーザのユーザ顔情報に関連付けられている設定情報を取得することができるため、複数のユーザの設定情報に基づいてアプリケーションを実行することができる。
【００１４】
なお、コンピュータを本発明に係る表示装置の各手段として機能させることを特徴とするプログラム、及び、それらのプログラムを記録したコンピュータ読み取り可能な記録媒体も本発明の範疇に含まれる。
【発明の効果】
【００１５】
これにより、カメラの画角の範囲内に居ないユーザにもユーザの利便性を向上させるための機能を提供することができる。
【図面の簡単な説明】
【００１６】
【図１】本発明の一実施形態に係るテレビの構成を示す上面図である。
【図２】図１に示すテレビの構成を示すブロック図である。
【図３】図１に示すテレビの動作を示すフローチャートである。
【図４】本発明の他の実施形態に係る表示装置の構成を示す上面図である。
【発明を実施するための形態】
【００１７】
＜実施形態１＞
本発明の一実施形態について、図１から図３を参照して以下に説明する。
【００１８】
〔テレビの構成〕
図１は、本実施形態に係るテレビ１の構成例を示す上面図である。図１に示すように、テレビ（表示装置）１は、表示部１０、カメラ（撮影部）２０及び人感センサ３０を備えている。また、図１において、Ｈ１、Ｈ２及びＨ３は、テレビ１を視聴するユーザ（人）を示す。
【００１９】
表示部１０の前面にはディスプレイが設けられており（不図示）、外部から供給されるコンテンツ、テレビ１に内蔵される記憶装置に記憶されているコンテンツなどを表示する。また、表示部１０は後述する主制御部１００を内蔵している。
【００２０】
外部から供給されるコンテンツとは、例えば、アナログ放送信号又はデジタル放送信号によって供給されるコンテンツ、テレビ１に接続されたＵＳＢメモリ、ＳＤカード、ＨＤＤ、ＤＶＤプレーヤ／レコーダ、ＢＤプレーヤ／レコーダなどから供給されるコンテンツ、インターネットを介して供給されるコンテンツなどを挙げることができる。
【００２１】
カメラ２０は、テレビ１を視聴するユーザの顔を撮影するための装置である。カメラ２０はテレビ１の上面中央に設けられている。カメラ２０としては、例えば、ＵＳＢカメラ、ＣＣＤカメラなどを挙げることができる。図１では、カメラ２０が実際に撮影することのできる領域（撮影可能領域）を角度で示す画角をφで示している。なお、上述したように、ＵＳＢカメラ、ＣＣＤカメラなどは、画角が９０°に満たないものが一般的である。
【００２２】
また、テレビ１はカメラ２０の向きを変えるための駆動部２１を備えている（後述の図２に示す）。駆動部２１によってカメラ２０の向きを変えることで、撮影可能領域を変えることができる。これにより、人感センサ３０が検出したユーザを撮影することができる。なお、カメラ２０は後述するカメラ制御部１０４から撮影の指示を取得すると撮影を行ない、得た画像情報を画像処理部１０５に送信する。
【００２３】
人感センサ３０は、その検出可能領域内にユーザが存在するか否かを検出し、ユーザが存在する場合にはユーザの位置を特定するセンサである。人感センサ３０はテレビ１の上面中央に設けられている。人感センサ３０は、例えば、複数の人感センサーデバイスをひとまとまりとして、どの領域に人がいるかを検出可能とした人感センサを挙げることができる（例えば、http://www.tapcorp.com/ten/ten135/TME-2.pdf（２０１０年５月６日検索）の人感センサシステム等が挙げられる）。図１では、人感センサ３０の検出可能領域を示す検出可能領域角をθで示している。また、検出可能領域角θはカメラ２０の画角φよりも広いため、人感センサ３０は、カメラ２０が一度に撮影することのできない範囲に存在するユーザを、検出することができる。なお、人感センサ３０がユーザを感知することのできる検出可能領域角θは、カメラ２０の画角φよりも広いものが一般的である。このように本発明では、画角の狭い安価なカメラを用いても、人感センサによって、広い範囲に存在するユーザを効率よく撮影できるので、ユーザを撮影等して実行するアプリケーションを実装した表示装置を安価に提供することができる。
【００２４】
なお、人感センサ３０は、テレビ１の他の部材とは独立して、電源のＯＮ、ＯＦＦを切り替えることができるように設定されていてもよい。電源のＯＮ、ＯＦＦの切り替えは、ユーザ操作によって直接行なわれてもよく、実行されるアプリケーションに応じて自動的に行われてもよい。
【００２５】
テレビ１はカメラ２０及び人感センサ３０を共に備えることによって、広い範囲のユーザを撮影することができる。
【００２６】
例えば、人感センサ３０及び駆動部が備えられていない場合には、カメラ２０の画角φの範囲に存在するユーザＨ１のみしか撮影することができない。しかし、人感センサ３０及び駆動部が備えられていることにより、ユーザＨ２、Ｈ３の存在を人感センサ３０が検出して位置を特定し、特定した位置がカメラ２０の画角φの範囲内に収まるように駆動部がカメラ２０の向きを変えることができるため、カメラ２０はユーザＨ２、Ｈ３を撮影することができる。
【００２７】
これにより、カメラ２０にて撮影したユーザの画像データを用いて、ユーザに提供されるアプリケーションを、ユーザＨ１だけでなく、ユーザＨ２、Ｈ３にも提供することができるようになる。
【００２８】
（ユーザを特定するための構成）
続いて、テレビ１の構成について、図２を参照して説明する。図２は、テレビ１の構成を示すブロック図である。
【００２９】
テレビ１は、図２に示すように、カメラ２０、駆動部２１、人感センサ３０、記憶部４０及び主制御部１００を備えている。
【００３０】
駆動部２１は、カメラ２０の撮影可能領域が変わるようにカメラ２０を駆動させる機構である。
【００３１】
記憶部４０はユーザ情報を記憶する。ユーザ情報には、例えば、テレビ１を利用するユーザの名前（ユーザ名）、カメラ２０で撮影されたユーザの画像情報から抽出された目じり、眉の位置などユーザの顔の特徴を示すユーザ顔情報などが含まれる。なお、ユーザ顔情報は、目じり、眉の位置などの顔の特徴を示す情報に限定されず、ユーザの顔の特徴を示す情報であればよい。また、記憶部４０は、テレビ１において利用可能なアプリケーションを予め記憶している。また、記憶部４０には、ユーザ登録部（不図示）によって、ユーザ情報と、アプリケーションを実行させるためにユーザが独自に設定したユーザ特有設定（設定情報）とが関連付けられて記憶される。つまり、記憶部４０においてユーザ顔情報はユーザ特有設定に関連付けられている。
【００３２】
主制御部１００は、テレビ１の各種構成を統括的に制御するものである。また、主制御部１００は、ユーザ指示取得部１０１、アプリケーション制御部１０２、人感センサ制御部１０３、カメラ制御部１０４（駆動部制御手段、撮影制御手段）及び画像処理部１０５を備えている。
【００３３】
ユーザ指示取得部１０１は、リモートコントローラ（不図示）又はテレビ１に備えられた操作部（不図示）を操作することによって行なわれるユーザからの指示（ユーザ指示）を受け付け、受け付けたユーザ指示の内容によってユーザ指示の供給先を決定する手段である。ユーザ指示取得部１０１は、例えば、取得したユーザ指示がアプリケーションの実行指示である場合、アプリケーション制御部１０２に実行指示を供給する。また、ユーザ指示取得部１０１はリモートコントローラ又は操作部を介してユーザ特有設定を取得する。ユーザはアプリケーションを実行する際のユーザ特有設定をリモートコントローラ又は操作部に入力する。ユーザ指示取得部１０１はユーザ特有設定を取得して、ユーザ登録部に供給する。一方で、ユーザはユーザ特有設定を入力する際に併せて自分がどのユーザ情報に対応するユーザであるかも入力する。そのユーザ情報をユーザ登録部は取得して、当
該ユーザ特有設定とユーザ情報とを関連付けて記憶部４０に記憶する。これによりユーザ特有設定とユーザ顔情報とが関連付けられる。
【００３４】
アプリケーション制御部１０２は、ユーザ指示取得部１０１からアプリケーションの実行指示を取得したときに、実行指示によって指定されたアプリケーションを実行する手段である。また、アプリケーション制御部１０２は、画像処理部１０５から取得したユーザ顔情報に基づいて、ユーザの顔認証を行う。これにより、カメラで撮影されたユーザに対応するユーザ顔情報が記憶部４０に記憶されているユーザ顔情報の中から選択される。なお、顔認証の具体的な処理については後述する。つまり、アプリケーション制御部１０２は、顔認証の結果、記憶部４０に記憶されているユーザ顔情報の中の一つのユーザ顔情報に関連付けられているユーザ特有設定を取得して、当該ユーザ特有設定に基づいてアプリケーションを実行する。
【００３５】
人感センサ制御部１０３は、テレビ１の他の部材とは独立して、ユーザの位置の特定に必要な人感センサ３０の電源をＯＮにし、ユーザの位置の特定に必要でない人感センサ３０をＯＦＦにする手段である。人感センサ３０が複数の場合には、人感センサ制御部１０３は、それぞれの人感センサ３０に対して個別にＯＮ、ＯＦＦを制御することが可能であってもよい。
【００３６】
カメラ制御部１０４は、人感センサ３０の検出可能領域に存在するユーザがカメラ２０の撮影可能領域内に存在しないときに、人感センサ３０の検出可能領域に存在するユーザがカメラ２０の撮影可能領域内に存在するように駆動部２１を駆動させる手段である。また、カメラ制御部１０４は、カメラ２０に撮影の指示を送信するものであり、また、予めカメラ２０の撮影可能領域に存在するユーザ、及び、駆動部２１を駆動することによって撮影可能領域に存在することとなったユーザをカメラ２０に撮影させる手段である。
【００３７】
また、カメラ制御部１０４による駆動部２１の駆動は、カメラ２０によって、人感センサ３０が検出したユーザの全てが撮影されるまで繰り返される。具体的には、人感センサ３０によって検出された、人感センサ３０の検出可能領域であって、カメラ２０の撮影可能領域外の領域に存在するユーザの人数を、カメラ制御部１０４は一時的に記憶する。次にカメラ制御部１０４は、駆動部２１を駆動させて、撮影可能領域内にユーザが存在するようになる毎にカメラ２０に撮影指示を送信する。カメラ２０は、撮影指示を取得する毎にユーザを撮影する。カメラ制御部１０４は、カメラ２０が撮影した人数を、別途、一時的に記憶する。カメラ制御部１０４及びカメラ２０は、この撮影した人数と最初に記憶したユーザの人数とを照合して、一致するまで、駆動から撮影までの操作を繰り返す。これによりカメラ２０によって、人感センサ３０が検出したユーザの全てを検出する。なお、駆動部２１は、過去に人を検出した領域がカメラ２０の撮像範囲に含まれるように常に駆動して画像撮影するようにして、過去に人を検出していない領域については人感センサ３０によって検出するようにしてもよい。
【００３８】
画像処理部１０５は、カメラ２０から供給されたユーザの画像情報から、ユーザの目じり、眉の位置などユーザの顔の特徴を示すユーザ顔情報を抽出する手段である。なお、ユーザ顔情報は、目じり、眉の位置などユーザの顔の特徴を示す情報に限定されず、ユーザの顔の特徴を示す情報であればよい。
【００３９】
（顔認証）
次に、アプリケーション制御部１０２における顔認証の処理について説明する。
【００４０】
画像処理部１０５は、カメラ２０から供給されたユーザの画像情報を取得すると、ユーザの画像情報からユーザ顔情報を抽出し、アプリケーション制御部１０２に抽出したユー
ザ顔情報を供給する。
【００４１】
アプリケーション制御部１０２は、取得したユーザ顔情報と、記憶部４０に記憶されている全てのユーザ情報に含まれるユーザ顔情報とを照合する。なお、この照合方法は公知であるので、その説明を省略する。照合した結果、記憶部４０に記憶されているユーザ顔情報の何れかと、画像処理部１０５から取得したユーザ顔情報との一致率が予め定められた値よりも高い（一致率が高い）場合、アプリケーション制御部１０２は、一致率が高いユーザ顔情報に関連付けて記憶されているユーザ特有設定を記憶部４０から読み出す。アプリケーション制御部１０２は、読み出したユーザ特有設定に基づいてアプリケーションを実行する。
【００４２】
また、テレビ１を視聴しているユーザが複数存在する場合、アプリケーション制御部１０２は、それぞれのユーザ情報に関連付けられているアプリケーションのユーザ特有設定を読み出す。なお、記憶部４０に記憶されているユーザ情報には、予め優先度が設定されていてもよい。予め優先度が設定されている場合、アプリケーション制御部１０２は、記憶部４０から読み出した複数のユーザ特有設定のうち、最も優先度の高いユーザ情報に関連付けられているユーザ特有設定に基づいてアプリケーションを実行すればよい。
【００４３】
なお、本実施形態では、テレビ１を視聴しているユーザが複数存在する場合に、最も優先度の高いユーザ情報に関連付けられているユーザ特有設定に基づいてアプリケーションを実行する構成を示すが、本発明はこれに限定されるものではない。
【００４４】
例えば、記憶部４０から読み出した複数のユーザ特有設定のそれぞれに基づいて、順にアプリケーションを実行する構成としてもよい。また、記憶部４０から読み出した複数のユーザ特有設定のうち、少なくとも２つ以上のユーザ特有設定において共通して設定されている設定のみに基づいてアプリケーションを実行する構成を採用してもよいし、読み出した複数のユーザ特有設定が数値又はレベルで表される場合には、その設定値を平均した値でアプリケーションを実行する構成などを採用することもできる。
【００４５】
また、記憶部４０から読み出した複数のユーザ特有設定に関連付けられたユーザ情報のそれぞれに関連付けられているユーザ名を表示部１０に表示させることによって、どのユーザが設定したユーザ特有設定に基づいてアプリケーションを実行するかを選択することができる構成を採用することもできる。
【００４６】
（カメラ及び人感センサの動作）
次に、図３を参照してテレビ１の動作について説明する。図３は、テレビ１の動作を示すフローチャートである。
【００４７】
図３に示すように、ユーザによって、ユーザの撮影を必要とするアプリケーションを実行することが選択されると（ステップＳ１）、ユーザ指示取得部１０１は、アプリケーション制御部１０２に、ユーザの撮影を必要とするアプリケーションの実行指示を供給する。
【００４８】
実行指示を取得したアプリケーション制御部１０２は、ユーザの特定に必要な人感センサ３０の電源をＯＮにするように人感センサ制御部１０３に通知し、人感センサ制御部１０３は、ユーザの特定に必要な人感センサ３０の電源をＯＮにする。人感センサ３０は、テレビ１を視聴しているユーザのそれぞれの位置を特定し（ステップＳ２）、特定したユーザの位置をカメラ制御部１０４に供給する。
【００４９】
カメラ制御部１０４は、まず、予め撮影可能領域にユーザが存在する場合、カメラ２０
の向きを変更させることなく撮影指示をカメラ２０に送信し、カメラ２０は撮影を行う。なお、予め撮影可能領域にユーザが存在するか否かは、カメラ２０が認識してもよいし、撮影可能領域と人感センサ３０の検出可能領域とが重複している場合は人感センサ３０によって認識してもよい。次に、撮影可能領域の範囲外に人感センサ３０がユーザを検出した場合、人感センサ３０によって検出されたユーザがカメラ２０の撮影可能領域に存在するように、駆動部２１を駆動させることでカメラ２０の向きを変更する。そして、駆動部２１を駆動することによって撮影可能領域に存在することとなったユーザをカメラ２０に撮影させる。カメラ２０は、撮影したユーザの画像を画像処理部１０５に供給する（ステップＳ３）。
【００５０】
画像処理部１０５は、取得したユーザの画像情報からユーザ顔情報を抽出し、抽出したユーザ顔情報をアプリケーション制御部１０２に供給する。アプリケーション制御部１０２は、ユーザの顔認証を行う。具体的には記憶部４０に記憶されている全てのユーザ情報の中から、供給されたユーザ顔情報との一致率が高いユーザ顔情報を含むユーザ情報を選択する（ステップＳ４）。
【００５１】
カメラ制御部１０４は、カメラ２０が人感センサ３０によって検出された全てのユーザを撮影したか否かを判定する（ステップＳ５）。人感センサ３０によって検出された全てのユーザを撮影していないと判定した場合（ステップＳ５においてＮＯ）、カメラ制御部１０４は、撮影されていないユーザを撮影することができるようにカメラ２０の駆動部２１を駆動させる。カメラ２０は、駆動部２１を駆動したことによって撮影可能領域に存在することとなったユーザを、カメラ制御部１０４からの指示に基づいて撮影する。すなわち、全てのユーザが撮影されるまでステップＳ３〜Ｓ５が繰り返される。
【００５２】
人感センサ３０によって検出された全てのユーザを撮影したと判定した場合（ステップＳ４においてＹＥＳ）、カメラ制御部１０４は、アプリケーション制御部１０２に全てのユーザを撮影した旨を通知する。アプリケーション制御部１０２は、ユーザによって選択されたアプリケーションを記憶部４０から読み出し、画像処理部１０５から供給されたユーザ顔情報との一致率が高いユーザ顔情報を含むユーザ情報に関連付けられたユーザ特有設定に基づいて実行する（ステップＳ６）。
【００５３】
なお、本実施形態では、ユーザの撮影を必要とするアプリケーションが選択されたときに、人感センサ制御部１０３がユーザの特定に必要な人感センサ３０の電源をＯＮにする構成を示したが、本発明はこれに限定されるものではなく、例えば、人感センサの電源をＯＮにしたままで、ユーザの特定を必要とするアプリケーションが選択されたときに限って、ユーザの位置を示す情報を人感センサ３０から取得するする構成としてもよい。また、ユーザの特定を必要とするアプリケーションが選択されるか否かに係わらず、人感センサの電源をＯＮにしたままで、ユーザの位置を示す情報を常に人感センサ３０から取得し続ける構成としてもよい。
【００５４】
（アプリケーション）
アプリケーションの一例として、お好み画質表示を行うアプリケーションを挙げることができる。
【００５５】
お好み画質表示を行うアプリケーションとは、テレビ１を視聴するユーザのユーザ情報と、そのユーザが好む画質で映像を表示するための画質設定値（設定情報）とを記憶させておき、カメラ２０によって撮影されたユーザの画像情報から抽出したユーザ顔情報と、記憶されているユーザ顔情報との一致率が高い場合に、そのユーザが好む画質で映像を表示することを可能にするアプリケーションである。
【００５６】
例えば、ユーザによってお好み画質表示を行うアプリケーションが選択され、顔認証によって複数のユーザが特定された場合、特定されたそれぞれのユーザのユーザ顔情報に関連付けられており、お好み画質表示を行うアプリケーションに関するユーザ特有設定である画質設定値を記憶部４０から読み出す。読み出された画質設定値に関連付けられているユーザ情報に優先度が設定されている場合、アプリケーション制御部１０２は、最も高い優先度が設定されているユーザ情報中のユーザ顔情報に関連付けられている画質設定値に基づいて画質を調整する。また、優先度が設定されているか否かに係わらず、特定された全てのユーザの画質設定値を平均した値に基づいて画質を調整する構成を採用してもよい。
【００５７】
また、アプリケーションの他の一例として、テレビ１を視聴するユーザのユーザ情報と、そのユーザが好む画質映像を表示するための画質調整値（設定情報）及びそのユーザが頻繁に視聴する番組である常連番組（設定情報）とを記憶させておき、カメラ２０によって撮影された複数のユーザの画質設定を反映した映像を一定時間毎に切り替えて表示するアプリケーション、及び、それぞれのユーザが頻繁に視聴している番組を、テレビ１の画面を分割して各々表示する、画面分割表示を行うアプリケーションを挙げることもできる。
【００５８】
例えば、ユーザによって画面分割表示を行うアプリケーションが選択され、顔認証によって複数のユーザが特定された場合、特定されたそれぞれのユーザのユーザ顔情報に関連付けられており、画面分割表示を行うアプリケーションに関するユーザ特有設定である画質調整値及び常連番組を記憶部４０から読み出す。アプリケーション制御部１０２は、読み出されたそれぞれの画質調整値に応じて画質を調整した常連番組の映像を、テレビ１を視聴しているユーザの人数で分割されたテレビ１の画面の各領域に各々表示する。
【００５９】
さらに、特開２００９−２６７４４５号公報に記載されているアプリケーションも、一例として挙げることができる。
【００６０】
なお、本実施形態では、人感センサ３０が１つ配置されている場合について説明したが、本発明はこれに限定されるものではなく、人感センサ３０が１つ以上配置されていればよく、例えば、人感センサ３０が２つ配置されていてもよい。人感センサ３０が２つ配置されている場合について、図面を変えて以下に説明する。
【００６１】
＜実施形態２＞
本発明の他の実施形態について、図４を参照して以下に説明する。なお、説明の便宜上、実施形態１に係る構成要素と同様の機能を有する構成要素には同一の番号を付し、その説明を省略する。本実施形態では、主に、実施形態１との相違点について説明するものとする。
【００６２】
図４は、本実施形態に係るテレビ２の他の実施形態を示す上面図である。図４に示すように、テレビ２は、人感センサ３０の代わりに人感センサ３０ａ、３０ｂを備えていること以外は実施形態１のテレビ１と同じ構成である。
【００６３】
人感センサ３０ａ、３０ｂは、周囲にユーザが存在するか否かを検出し、ユーザが存在する場合には周囲のどの位置にユーザが存在するかを特定するセンサである。図４に示すように、人感センサ３０ａ、３０ｂはテレビ２の上面両端に設けられている。図４では、人感センサ３０ａの検出可能領域を示す検出可能領域角をθａで示し、人感センサ３０ｂの検出可能領域角をθｂで示している。また、人感センサ３０ａ、３０ｂの検出可能領域は、予めカメラ２０が撮影可能領域としていない領域に存在するユーザを検知することができるように設けられている。これにより、人感センサ３０ａ、３０ｂは、カメラ２０が
一度に撮影することのできない範囲に存在するユーザを検出することができる。このように本発明では、画角の狭い安価なカメラを用いても、人感センサによって、広い範囲に存在するユーザを効率よく撮影できるので、ユーザを撮影等して実行するアプリケーションを実装した表示装置を安価に提供することができる。
【００６４】
なお、人感センサ３０ａ、３０ｂは、テレビ２の他の部材とは独立して、電源のＯＮ、ＯＦＦを切り替えることができるように設定されていてもよい。電源のＯＮ、ＯＦＦの切り替えは、ユーザ操作によって直接行なわれてもよく、実行されるアプリケーションに応じて自動的に行われてもよい。
【００６５】
〔プログラム及び記録媒体〕
最後に、テレビ１の主制御部１００は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００６６】
すなわち、テレビ１の主制御部１００は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【００６７】
この記録媒体は、上述した各機能を実現する制御プログラムのプログラムコード（実行形式プログラム、中間コードプログラム、ソースプログラム）をコンピュータで読み取り可能に記録していればよい。これにより、主制御部１００（またはＣＰＵやＭＰＵ）が、供給された記録媒体に記録されているプログラムコードを読み出し、実行すればよい。
【００６８】
プログラムコードを主制御部１００に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００６９】
また、テレビ１は通信ネットワークと接続可能に構成されているため、上記のプログラムコードを、通信ネットワークを介してテレビ１に供給することができる。この通信ネットワークはテレビ１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００７０】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７１】
なお、本発明は上述した本実施形態に限定されるものではなく、請求項に示した範囲で種々の変更が可能である。
【産業上の利用可能性】
【００７２】
本発明は、人感センサ及びカメラを備えたテレビなどの装置に好適に利用することができる。
【符号の説明】
【００７３】
１、２    テレビ
１０      表示部
２０      カメラ（撮影部）
２１      駆動部
３０、３０ａ、３０ｂ  人感センサ
４０      記憶部
１００    主制御部
１０１    ユーザ指示取得部
１０２    アプリケーション制御部（アプリケーション制御手段）
１０３    人感センサ制御部
１０４    カメラ制御部（駆動部制御手段、撮影制御手段）
１０５    画像処理部（画像処理手段）
【図１】
2011259384.tif 000003
【図２】
2011259384.tif 000004
【図３】
2011259384.tif 000005
【図４】
2011259384.tif 000006